(57)【要約】【課題】簡単かつ低コストで製作することができ、容易に着たり脱いだりすることができ、種々の洋服の上からに重ね着として気軽に着用することができ、それらの洋服のデザインに良好にマッチする衣服（新規な和服）を提供する。【解決手段】長方形状または正方形状をなし、平行な一対の直線状の第１側縁１ａ、1ｂと、第１側縁１ａ、１ｂに垂直な一対の直線状の第２側縁１ｃ、１ｄとを有する布地１を、一対の第１側縁に平行な線２に沿って半分に折り、重なり合う２枚の布地部分を、折り線２の両端に接続する一対の第２側縁において、折り線から所定の長さｓの領域を残して縫合したものからなる。折り線に対向する第１側縁の領域に形成された第１の開口３を前開きとし、折り線から所定の長さの領域に形成された第２の開口４、５に腕を通すことによって着用する。【選択図】図１
2010084299.tif 000002
【特許請求の範囲】
【請求項１】
平行な一対の直線状の第１側縁と、前記一対の第１側縁の垂直二等分線に関して線対称となる一対の第２側縁とを有する布地を、前記一対の第１側縁に平行な線または前記垂直二等分線に沿って半分に折り、重なり合う２枚の布地部分を、折り線の両端に接続する一対の側縁において、前記折り線から所定の長さの領域を残して縫合したものからなり、前記折り線に対向する側縁の領域に形成された第１の開口を前開きとし、前記折り線から所定の長さの領域に形成された第２の開口に腕を通すことによって着用することを特徴とする衣服。
【請求項２】
前記布地は、長方形状または正方形状を有していることを特徴とする請求項１に記載の衣服。
【請求項３】
前記布地は、一種類または複数種類の和服製作用反物から一定長さの部分を複数枚切り出し、それらを並べて互いに隣接する側縁を縫合したものからなることを特徴とする請求項１または請求項２に記載の衣服。
【請求項４】
前記第１および第２の開口の辺縁は、纏り縫いされることを特徴とする請求項１〜請求項３のいずれかに記載の衣服。
【請求項５】
前記布地とは別の布地からなる裏地が取り付けられることを特徴とする請求項１〜請求項４のいずれかに記載の衣服。
【請求項６】
前記第１の開口の縁には、所定の長さにわたって襟が設けられることを特徴とする請求項１〜請求項５のいずれかに記載の衣服。
【発明の詳細な説明】
【技術分野】
【０００１】
本発明は、衣服、特に、洋服の上に簡単に重ね着することができる新規な和服に関するものである。
【背景技術】
【０００２】
和服は、優雅さや落ち着き等を備えた趣のある衣服であるが、着付けに手間暇がかかり、また、長時間着用する間に着崩れし易く、その修正も容易ではなく、また、和服を着用すると動きにくいという欠点を有している。さらには、和服の使用後、それを脱いで、収納および保管する際にも、手間がかかり、また、和服の着用に併せて、帯や小物等を揃える必要があり、女性の場合にはそれにマッチする髪型を整えねばならない。
【０００３】
このように、和服の着用には種々の煩わしさを伴うため、近年では、和服が日常生活において着用される機会はめっきり減少し、和服は国内においてあまり普及していない。
【０００４】
そのため、和服をもっと気軽に着用できるようにするべく、旧来の和服とは異なる構成を有する和服がこれまでにいくつか提案されている（例えば、特許文献１〜３参照）。しかしながら、これらの改良された和服は、いずれも、デザイン面で選り好みされ、人々に幅広く受け入れられてはいない。
【０００５】
一方、洋服は、和服と異なり、気軽に着用することができ、また、種々のデザインのものが存在する。このため、洋服は日常生活において広く着用されている。
そして、洋服は、しばしば、複数の種類のものが重ね着される。ところで、洋服が重ね着される場合、それぞれの洋服のデザインがうまく調和していないと、良好なスタイルが得られない。この場合、一番上に着用される上着は、その下に着用された洋服の種々のデザインに幅広くマッチするようなデザインのものであれば、一着で色々な重ね着のパターンと組み合わせることができるので、経済的である。
【０００６】
【特許文献１】特開２００２−２４２００６号公報
【特許文献２】特開２００７−６３７３６号公報
【特許文献３】特開２００７−２３１４６４号公報
【発明の開示】
【発明が解決しようとする課題】
【０００７】
したがって、本発明の課題は、簡単かつ低コストで製作することができ、容易に着たり脱いだりすることができ、種々の洋服の上からに重ね着として気軽に着用することができ、それらの洋服のデザインに良好にマッチする新規な和服（衣服）を提供することにある。
【課題を解決するための手段】
【０００８】
上記課題を解決するため、本発明は、平行な一対の直線状の第１側縁と、前記一対の第１側縁の垂直二等分線に関して線対称となる一対の第２側縁とを有する布地を、前記一対の第１側縁に平行な線または前記垂直二等分線に沿って半分に折り、重なり合う２枚の布地部分を、折り線の両端に接続する一対の側縁において、前記折り線から所定の長さの領域を残して縫合したものからなり、前記折り線に対向する側縁の領域に形成された第１の開口を前開きとし、前記折り線から所定の長さの領域に形成された第２の開口に腕を通すことによって着用することを特徴とする衣服を構成したものである。
【０００９】
上記構成において、好ましくは、前記布地は、長方形状または正方形状を有しており、また好ましくは、前記布地は、一種類または複数種類の和服製作用反物から一定長さの部分を複数枚切り出し、それらを並べて互いに隣接する側縁を縫合したものからなっている。
【００１０】
また上記構成において、前記第１および第２の開口の辺縁は、纏り縫いされることが好ましく、また、前記布地とは別の布地からなる裏地を取り付けること、あるいは、前記第１の開口の縁に、所定の長さにわたって襟を設けることもできる。
【発明の効果】
【００１１】
本発明によれば、一枚の布地を半分に折り、折り線の両側に接続する一対の側縁を、折り線から所定の長さの領域を残して縫合するだけで簡単かつ低コストで衣服（新規な和服）を製作することができる。この衣服は、洋服の上に羽織るだけで洋服の上に簡単に重ね着をすることができ、着用中に動作を不自由にすることもない。また、この衣服は、簡単に脱ぐことができ、しかも、ハンガーに掛けておくだけで簡単に収納および保管することができる。さらに、この衣服は、大抵の洋服とマッチし得る非常にシンプルなデザインを有しているので、重ね着する洋服の種類を選ばない。
【発明を実施するための最良の形態】
【００１２】
以下、添付図面を参照して本発明の好ましい実施例について説明する。図１は、本発明の好ましい実施例による衣服の製作方法を説明する図であり、（Ａ）は反物から一定長の布地の部分を切り出す工程を説明する図であり、（Ｂ）は、各布地の部分を横に並べて縫合する工程を説明する図であり、（Ｃ）は、半分に折った布地の両側縁を縫合する工程を説明する図であり、（Ｄ）は、製作した衣服を前開きの方から見た図である。
この実施例によれば、図１Ａに示すように、和服製作用反物から一定の長さの部分ａ１〜ａ４が複数枚（この実施例では４枚）切り出され、図１Ｂに示すように、切り出された反物の部分ａ１〜ａ４が、横に並べられ、各部分の隣接する側縁が縫合され、それによって、衣服を製作するための布地１が形成される。
【００１３】
この場合、各反物の部分ａ１〜ａ４は、同一種類の反物から切り出されたものであってもよいし、複数種類の反物から切り出されたものであってもよい。またこの実施例では、複数枚の同一形状の布地を横に並べて互いに縫合して衣服を製作するための布地１を形成したが、反物から切り出した１枚の布地、あるいは、反物とは別の１枚の布地を、衣服を製作するための布地１としてもよい。
【００１４】
衣服製作用の布地１は、この実施例では、長方形状または正方形状をなしていて、平行な一対の直線状の第１側縁１ａ、1ｂと、第１側縁１ａ、１ｂに垂直な一対の直線状の側縁１ｃ、１ｄとを有している。
【００１５】
そして、図１Ｂおよび図１Ｃに示すように、布地１は、一対の第１側縁１ａ、１ｂに平行な折り線２に沿って半分に折られ、重なり合う２枚の布地部分が、折り線２の両側に接続する一対の側縁（第２側縁）１ｃ、１ｄにおいて、折り線２から所定の長さｓの領域を残して縫合され、それによって衣服（新規な和服）６が製作される。
【００１６】
本発明による衣服は、図１Ｄに示すように、折り線２に対向する側縁（第１側縁）１ａ、１ｂの領域に形成された第１の開口３が前開きをなし、所定の長さｓの領域に形成された第２の開口４、５が袖口をなす。この場合、第１および第２の開口３〜５の辺縁は、纏り縫いされていることが好ましい。そして、図２に示すように、袖口（第２の開口）４、５に腕が通されることによって着用される。
【００１７】
本発明による衣服（新規な和服）は、一枚の布地を半分に折り、折り線の両側に接続する一対の側縁を、折り線から所定の長さの領域を残して縫合するだけで簡単かつ低コストで製作できる。そして、この衣服は、洋服の上に羽織るだけで洋服の上に簡単に重ね着をすることができ、着用中に通常の動作を不自由にすることもない。また、この衣服は、容易に脱ぐことができ、ハンガーに掛けておくだけで簡単に収納および保管することができる。さらに、本発明による衣服は、大抵の洋服とマッチし得る非常にシンプルなデザインを有しているので、重ね着する洋服の種類を選ばない。
【００１８】
本発明の構成は、上述の実施例に限定されない。例えば、上述の実施例では、衣服を製作するための布地１は長方形状または正方形状を有しているが、布地１は、平行な一対の直線状の第１側縁と、第１側縁の垂直二等分線に関して線対称となる一対の第２側縁とを有するものであれば、どのような形状であってもよい。この場合、布地が、一対の第１側縁に平行な線または垂直二等分線に沿って半分に折られ、重なり合う２枚の布地部分が、折り線の両端に接続する一対の側縁において、折り線から所定の長さの領域を残して縫合されることによって衣服が製作される。そして、折り線に対向する側縁の領域に形成された第１の開口を前開きとし、所定の長さの領域に形成された第２の開口に腕を通すことによって衣服が着用される。
【００１９】
また、布地とは別の布地からなる裏地が取り付けられてもよいし、あるいは、第１の開口の縁に、所定の長さにわたって襟が設けられてもよい。
【図面の簡単な説明】
【００２０】
【図１】本発明の好ましい実施例による衣服の製作方法を説明する図であり、（Ａ）は反物から一定長の布地の部分を切り出す工程を説明する図であり、（Ｂ）は、各布地の部分を横に並べて縫合する工程を説明する図であり、（Ｃ）は、半分に折った布地の両側縁を縫合する工程を説明する図であり、（Ｄ）は、製作した衣服を前開きの方から見た図である。
【図２】本発明の好ましい実施例による衣服が着用された状態を示す立面図である。
【符号の説明】
【００２１】
１  衣服を製作するための布地
１ａ、１ｂ  第１側縁
１ｃ、１ｄ  第２側縁
２  折り線
３  第１の開口
４、５  第２の開口
６  衣服
ａ１〜ａ４  布地部分
【図１】
2010084299.tif 000003
【図２】
2010084299.tif 000004